(57)【特許請求の範囲】
【請求項１】
枠付きパネル（１）と、
前記枠付きパネル（１）を支持している複数本の支柱（５ａ〜５ｆ）とを有し、
前記枠付きパネル（１）は、
４つ以上の偶数個の角を備えた正多角形の剛性枠体（２）と、
前記剛性枠体（２）に外周縁辺（３ａ〜３ｆ）が取り付けられている正多角形の輪郭形状をした可撓性シート（３）と、
複数本の直線状の補強用線材（４）とを有し、
前記補強用線材（４）のそれぞれは、前記可撓性シート（３）における点対称の位置にある各対の角（３Ａ〜３Ｆ）の間にそれぞれ架け渡された状態で当該可撓性シート（３）に固定され、
前記補強用線材（４）のそれぞれの両端部は前記剛性枠体（２）の角部に固定され、
前記補強用線材（４）は前記可撓性シート（３）に比べて引張り強度が高く、
前記支柱（５ａ〜５ｆ）のそれぞれは、正多角形の前記剛性枠体（２）における各角に取り付けられており、
前記枠付きパネル（１）における少なくとも一本の前記補強用線材（４）の両端には、それぞれ、引張り用線材（６）の一端が連結されており、
前記引張り用線材（６）のそれぞれの他端は、所定の引張り状態で地盤に固定されており、
前記引張り用線材（６）によって前記補強用線材（４）が引張り状態に維持されることを特徴とする農業用ハウスの屋根構造。
【請求項２】
複数枚の枠付きパネル（１）と、
前記枠付きパネル（１）のそれぞれを支持している支柱（５ａ〜５ｆ）とを有し、
前記枠付きパネル（１）のそれぞれは、
４つ以上の偶数個の角を備えた正多角形の剛性枠体（２）と、
前記剛性枠体（２）に外周縁辺（３ａ〜３ｆ）が取り付けられている正多角形の輪郭形状をした可撓性シート（３）と、
複数本の直線状の補強用線材（４）とを有し、
前記補強用線材（４）のそれぞれは、前記可撓性シート（３）における点対称の位置にある各対の角（３Ａ〜３Ｆ）の間にそれぞれ架け渡された状態で当該可撓性シート（３）
に固定され、
前記補強用線材（４）のそれぞれの両端部は前記剛性枠体（２）の角部に固定され、
前記補強用線材（４）は前記可撓性シート（３）に比べて引張り強度が高く、
前記支柱（５ａ〜５ｆ）のそれぞれは、正多角形の前記剛性枠体（２）における各角に取り付けられており、
前記枠付きパネル（１）のそれぞれにおける一本の前記補強用線材（４）が隣接する前記枠付きパネル（１）における一本の前記補強用線材（４）に直線状に連結された状態となるように、前記枠付きパネル（１）が一列に配置されており、
前記枠付きパネル（１）のそれぞれにおいて、隣接する前記枠付きパネル（１）の前記補強用線材（４）に連結されている前記補強用線材（４）の端を除き、前記補強用線材（４）のそれぞれの端には引張り用線材（６）の一端が連結されており、
前記引張り用線材（６）のそれぞれの他端は、所定の引張り状態で地盤に固定されており、
前記引張り用線材（６）のそれぞれによって、前記補強用線材（４）のそれぞれが引張り状態に維持されることを特徴とする農業用ハウスの屋根構造。
【請求項３】
請求項１または２において、
前記補強用線材（４）は、
前記可撓性シートへの織り込み、
前記可撓性シートの片面あるいは両面への縫い付け、
前記可撓性シートの片面あるいは両面への接着、または、
前記補強用線材として、可撓性シートを挟み当該可撓性シートの両側から相互に嵌合している第１、第２嵌合部材からなるものを用いることによって、前記可撓性シートに固定されていることを特徴とする農業用ハウスの屋根構造。
【請求項４】
請求項１、２または３において、
前記可撓性シートの輪郭形状は正六角形であることを特徴とする農業用ハウスの屋根構造。
【請求項５】
請求項１ないし４のうちのいずれかの項において、
前記枠付きパネル（１）の中心にはドレンパイプ（９）が配置されており、
前記ドレンパイプ（９）は、パイプ本体部分（９ａ）と、このパイプ本体部分（９ａ）の上端部に上下方向にスライド可能な状態で取り付けられているシート連結パイプ部分（９ｂ）とを備えており、
前記シート連結パイプ部分（９ｂ）の上端開口部が前記枠付きパネル（１）の可撓性シート（３）の中心部分に取り付けられており、
前記可撓性シート（３）の前記中心部分には、当該可撓性シート（３）の上面から雨水を前記シート連結パイプ部分（９ｂ）の上端開口部に導くドレン穴（３ｇ）が形成されていることを特徴とする農業用ハウスの屋根構造。
【請求項６】
請求項５において、
前記ドレンパイプ（９）には開閉可能な通気口が形成されており、
当該通気口は前記ドレンパイプ（９）の中空部を介して前記ドレン穴（３ｇ）に連通していることを特徴とする農業用ハウスの屋根構造。
【請求項７】
正六角形の輪郭形状をした可撓性シート（３）と、
前記可撓性シート（３）の輪郭形状と同一の正六角形をした平らな剛性枠体（２）を、点対称の位置にある一対の角を結ぶ対角線が頂辺（１２）となるように、当該対角線に沿って折り曲げることによって得られる山形状剛性枠体（２Ａ）と、
前記可撓性シート（３）に取り付けられており、当該可撓性シート（３）における点対
称の位置にある各対の角の間にそれぞれ架け渡されている可撓性の第１補強用線材、第２補強用線材および第３補強用線材（４）とを有し、
前記可撓性シート（３）の外周縁辺（３ａ〜３ｆ）は前記山形状剛性枠体（２Ａ）の各辺に取り付けられ、前記第１補強用線材（４）が前記山形状剛性枠体の前記頂辺（１２）に沿って延びており、
前記第１〜第３補強用線材（４）は前記可撓性シート（３）に比べて引張り強度が高いことを特徴とする山形状の枠付きパネル（１Ａ）。
【請求項８】
請求項７において、
前記第１〜第３補強用線材（４）のそれぞれは、
前記可撓性シートへの織り込み、
前記可撓性シートの片面あるいは両面への縫い付け、
前記可撓性シートの片面あるいは両面への接着、または、
前記第１〜第３補強用線材として、可撓性シート（３）を挟み当該可撓性シート（３）の両側から相互に嵌合している第１、第２嵌合部材からなるものを用いることによって、前記可撓性シート（３）に固定されていることを特徴とする山形状の枠付きパネル（１Ａ）。
【請求項９】
屋根パネルと、
前記屋根パネルを所定の高さ位置に支持している２本の垂直支柱（１３）と、
４本の引張り用線材（１４）とを有し、
前記屋根パネルは請求項７または８に記載の山形状の枠付きパネル（１Ａ）であり、
前記垂直支柱（１３）は、前記山形状剛性枠体（２Ａ）における前記頂辺（１２）の両端の角（２Ｂ、２Ｅ）を支持しており、
前記第２補強用線材（４）の両端部、および、前記第３補強用線材（４）の両端部には、それぞれ、前記引張り用線材（１４）の上端が連結されており、
前記引張り用線材（１４）のそれぞれの下端は、所定の引張り状態で地盤に固定されており、
前記引張り用線材（１４）によって前記第２補強用線材（４）および前記第３補強用線材（４）が引張り状態に維持されることを特徴とする農業用ハウスの屋根構造。
【請求項１０】
複数枚の屋根パネルと、
前記屋根パネルのそれぞれを所定の高さ位置に支持している複数本の垂直支柱（１３）と、
複数本の引張り用線材（１４）とを有し、
前記屋根パネルのそれぞれは、請求項７または８に記載の山形状の枠付きパネル（１Ａ）であり、
前記垂直支柱（１３）は、前記山形状剛性枠体（２Ａ）のそれぞれにおける前記頂辺（１２）の両側の角（２Ｂ、２Ｅ）を支持しており、
前記山形状の枠付きパネル（１Ａ）のそれぞれにおける前記第１補強用線材（４）が隣接配置される前記山形状の枠付きパネル（１Ａ）における前記第１補強用線材（４）に直線状に連結された状態となるように、前記山形状の枠付きパネル（１Ａ）が一列に配置されており、
前記山形状の枠付きパネル（１Ａ）のそれぞれにおいて、前記第２補強用線材の両端部、および、前記第３補強用線材の両端部に、各引張り用線材（１４）の上端が連結されており、
各引張り用線材（１４）の下端は、所定の引張り状態で地盤に固定されており、
各引張り用線材（１４）によって前記第２補強用線材（４）および前記第３補強用線材（４）が引張り状態に維持されることを特徴とする農業用ハウスの屋根構造。
【請求項１１】
複数枚の屋根パネルと、
前記屋根パネルのそれぞれを所定の高さ位置に支持している複数本の垂直支柱（１３）と、
複数本の引張り用線材（１４）とを有し、
前記屋根パネルのそれぞれは請求項７または８に記載の山形状の枠付きパネル（１Ａ）であり、
前記垂直支柱（１３）は、前記山形状剛性枠体（２Ａ）のそれぞれにおける前記頂辺（１２）の両側の角（２Ｂ、２Ｅ）を支持しており、
前記山形状の枠付きパネル（１Ａ）のそれぞれにおける前記第１補強用線材に平行な一方の辺が、隣接配置される前記山形状の枠付きパネル（１Ａ）における前記第１補強用線材に平行な一方の辺に連結された状態となるように、前記山形状の枠付きパネル（１Ａ）が前記第１補強用線材に直交する方向に配列されており、
前記山形状の枠付きパネル（１Ａ）のそれぞれにおいて、前記第２補強用線材の両端部、および、前記第３補強用線材の両端部に、各引張り用線材（１４）の上端が連結されており、
各引張り用線材（１４）の下端は、所定の引張り状態で地盤に固定されており、
各引張り用線材（１４）によって前記第２補強用線材および前記第３補強用線材が引張り状態に維持されることを特徴とする農業用ハウスの屋根構造。
【発明の詳細な説明】
【技術分野】
【０００１】
本発明は、ぶどう等の蔓性の果実、梨のように棚に固定されて栽培される果実などの棚、イチゴなどの植物育成用の農業用ハウスの屋根に用いる枠付きパネルに関する。また、枠付きパネルを用いて構築される農業用ハウスの屋根構造に関する。
【背景技術】
【０００２】
イチゴなどの植物を育成するためなどに用いられるビニールハウスなどの農業用ハウスは、金属パイプ、鉄骨などの構造材を用いて屋根、壁の骨組みを構築し、屋根面および壁面は骨組みに張り付けた樹脂フィルム、あるいはガラス板、プラスチック板によって形成している。特許文献１には農業用ハウスをパネル構造とし、枠付きパネルを張り合わせることにより骨組みを必要とせずに農業用ハウスを構築することが開示されている。また、かまぼこ型のビニールハウスは、特許文献２に記載されているように、かまぼこ型の金属パイプを一定間隔で立設し、これらの表面を覆う状態に樹脂フィルムを張り付けることにより構成される。一方、ぶどう棚などの果樹棚としては、特許文献３、特許文献４に開示のものがある。
【先行技術文献】
【特許文献】
【０００３】
【特許文献１】特開２０００−５４５５８号公報
【特許文献２】特開２００３−３３９２５０号公報
【特許文献３】特開２００５−１５５２７６号公報
【特許文献４】実開平７−３６６２９号公報
【発明の概要】
【発明が解決しようとする課題】
【０００４】
特許文献１に開示の農業用ハウスの設置作業においては、屋根面に樹脂フィルム、板ガラスを張り付ける高所作業などが必要であり、専門職人を必要とし、簡単に設置することができない。また、屋根面などに張り付けられている樹脂フィルムが長期使用によって伸びて弛みが発生して見栄えが悪くなった場合、損傷や破れが発生した場合等における補修作業、交換作業、屋根面などに張った板ガラスが損傷した場合などの補修作業も簡単ではない。特許文献２に開示のパネル構造の農業用ハウスは、使用する枠付きパネルのフィルムが熱収縮によって発生した張力によって弛みのない状態で枠体に張り付けられている。フィルムを熱収縮させる条件管理などを適切に行う必要があり、簡単に製造できない。また、熱収縮するフィルムを使用しなければならないという制約もある。
【０００５】
本発明の課題は、このような点に鑑みて、農業用ハウスの屋根を簡単に構築することのできる廉価な構造の枠付きパネルおよび当該枠付きパネルを用いた農業用ハウスの屋根構造を提案することにある。
【課題を解決するための手段】
【０００６】
上記の課題を解決するために、本発明の農業用ハウスの屋根構造は、
枠付きパネルと、
前記枠付きパネルを支持している複数本の支柱とを有し、
前記枠付きパネルは、
４つ以上の偶数個の角を備えた正多角形の剛性枠体と、
前記剛性枠体に外周縁辺が取り付けられている正多角形の輪郭形状をした可撓性シートと、
複数本の直線状の補強用線材とを有し、
前記補強用線材のそれぞれは、前記可撓性シートにおける点対称の位置にある各対の角の間にそれぞれ架け渡された状態で当該可撓性シートに固定され、
前記補強用線材のそれぞれの両端部は前記剛性枠体の角部に固定され、
前記補強用線材は前記可撓性シートに比べて引張り強度が高く、
前記支柱のそれぞれは、正多角形の前記剛性枠体における各角に取り付けられており、
前記枠付きパネルにおける少なくとも一本の前記補強用線材の両端には、それぞれ、引張り用線材の一端が連結されており、
前記引張り用線材のそれぞれの他端は、所定の引張り状態で地盤に固定されており、
前記引張り用線材によって前記補強用線材が引張り状態に維持されることを特徴としている。
【０００７】
また、本発明の農業用ハウスの屋根構造は、
複数枚の枠付きパネルと、
前記枠付きパネルのそれぞれを支持している支柱とを有し、
前記枠付きパネルのそれぞれは、
４つ以上の偶数個の角を備えた正多角形の剛性枠体と、
前記剛性枠体に外周縁辺が取り付けられている正多角形の輪郭形状をした可撓性シートと、
複数本の直線状の補強用線材とを有し、
前記補強用線材のそれぞれは、前記可撓性シートにおける点対称の位置にある各対の角の間にそれぞれ架け渡された状態で当該可撓性シートに固定され、
前記補強用線材のそれぞれの両端部は前記剛性枠体の角部に固定され、
前記補強用線材は前記可撓性シートに比べて引張り強度が高く、
前記支柱のそれぞれは、正多角形の前記剛性枠体における各角に取り付けられており、
前記枠付きパネルのそれぞれにおける一本の前記補強用線材が隣接する前記枠付きパネルにおける一本の前記補強用線材に直線状に連結された状態となるように、前記枠付きパネルが一列に配置されており、
前記枠付きパネルのそれぞれにおいて、隣接する前記枠付きパネルの前記補強用線材に連結されている前記補強用線材の端を除き、前記補強用線材のそれぞれの端には引張り用線材の一端が連結されており、
前記引張り用線材のそれぞれの他端は、所定の引張り状態で地盤に固定されており、
前記引張り用線材のそれぞれによって、前記補強用線材のそれぞれが引張り状態に維持されることを特徴としている。
【０００８】
ここで、前記補強用線材を前記可撓性シートに取り付ける方法としては次の方法がある。
前記可撓性シートに織り込む方法
前記可撓性シートの片面あるいは両面に縫い付ける方法
前記可撓性シートの片面あるいは両面に接着する方法
前記補強用線材として、前記可撓性シートを挟み当該可撓性シートの両側から相互に嵌合している第１、第２嵌合部材からなるものを用いる方法
【０００９】
本発明において使用する平板状の枠付きパネルでは、剛性枠体に張り付けた正多角形の可撓性シートが引張り補強用の補強用線材によって補強されている。補強用線材を引張り状態に保持することにより、枠付きパネルは全体として引張り状態に保持される。１枚の枠付きパネル、あるいは複数枚の枠付きパネルを平面方向に連結することにより、農業用ハウスの屋根構造を簡単に構築できる。また、枠付きパネルは、ぶどう棚などの果樹棚として用いることもできる。
【００１０】
引張り用線材、例えばワイヤーロープなどを用いて支柱付きの屋根パネルを地盤に固定するという簡単な作業により、農業用ハウスの屋根を施工できる。屋根パネルの剛性枠体と各支柱の間に樹脂フィルムなどを張ることにより壁面を備えた農業用ハウスを構築できる。また、屋根パネルの下側に金網を張れば、ぶどう棚などの果樹棚として用いることができる。
【００１３】
また、前記枠付きパネルの中心にドレンパイプを配置し、このドレンパイプを、パイプ本体部分と、このパイプ本体部分の上端部に上下方向にスライド可能な状態で取り付けられているシート連結パイプ部分から構成し、前記シート連結パイプ部分の上端開口部を前記枠付きパネルの可撓性シートの中心部分に取り付け、前記可撓性シートの前記中心部分には、当該可撓性シートの上面から雨水を前記シート連結パイプ部分の上端開口部に導くドレン穴を形成しておくことができる。このようにすれば、枠付きパネルの中心、すなわち、屋根面の中心位置から、ドレンパイプを介して雨水を排出できる。
【００１４】
この場合、中空パイプを利用して換気を行うためには、前記中空パイプに開閉可能な通気口を形成し、当該通気口を前記中空パイプの中空部を介して前記貫通穴に連通させておけばよい。
【００１５】
次に、上記の枠付きパネルは平板状のものであるが、山形状に折り曲げた構成とすることも可能である。
【００１６】
すなわち、本発明の山形状の枠付きパネルは、
正六角形の輪郭形状をした可撓性シートと、
前記可撓シートの輪郭形状と同一の正六角形をした平らな剛性枠体を、点対称の位置にある一対の角を結ぶ対角線が頂辺となるように、当該対角線に沿って折り曲げることによって得られる山形状剛性枠体と、
前記可撓性シートに取り付けられており、当該可撓性シートにおける点対称の位置にある各対の角の間にそれぞれ架け渡されている可撓性の第１補強用線材、第２補強用線材および第３補強用線材とを有し、
前記可撓性シートの外周縁の各辺は前記山形状剛性枠体の各辺に取り付けられ、前記第１補強用線材が前記山形状剛性枠体の前記頂辺に沿って延びており、
前記第１〜第３補強用線材は前記可撓性シートに比べて引張り強度が高いことを特徴としている。
【００１７】
この構成の山形状の枠付きパネルを１枚用いた農業用ハウスの屋根構造は、
前記山形状の枠付きパネルを所定の高さ位置に支持している２本の垂直支柱と、少なくとも４本の引張りワイヤーとを有し、
前記垂直支柱は、前記山形状剛性枠体における前記頂辺の両端の角を支持しており、
前記第２補強用線材の両端部、および、前記第３補強用線材の両端部には、それぞれ、前記引張り用線材の上端が連結されており、
前記引張り用線材のそれぞれの下端は、所定の引張り状態で地盤に固定されており、
前記引張り用線材によって前記第２補強用線材および前記第３補強用線材が引張り状態に維持されることを特徴としている。
【００１８】
また、複数枚の山形状の枠付きパネルを用いた農業用ハウスの屋根構造は、
前記山形状の枠付きパネルのそれぞれを所定の高さ位置に支持している複数本の支柱と、
複数本の引張り用線材とを有し、
前記支柱は、前記山形状剛性枠体のそれぞれにおける前記頂辺の両側の角を支持しており、
前記山形状の枠付きパネルのそれぞれにおける前記第１補強用線材が隣接配置される前記屋根パネルにおける前記第１補強用線材に直線状に連結された状態となるように、前記屋根パネルが一列に配置されており、
前記山形状の枠付きパネルのそれぞれにおいて、前記第２補強用線材の両端部、および、前記第３補強用線材の両端部に、各引張りワイヤーの上端が連結されており、
各引張り用線材の下端は、所定の引張り状態で地盤に固定されており、
各引張り用線材によって前記第２補強用線材および前記第３補強用線材が引張り状態に維持されることを特徴としている。
【００１９】
また、複数枚の山形状の枠付きパネルを上記構成の場合とは直交する方向に連結して構成される農業用ハウスの屋根構造は、
前記山形状の枠付きパネルのそれぞれを所定の高さ位置に支持している複数本の支柱と、複数本の引張り用線材とを有し、
前記支柱は、前記山形状剛性枠体のそれぞれにおける前記頂辺の両側の角を支持しており、
前記山形状の枠付きパネルのそれぞれにおける前記第１補強用線材に平行な一方の辺が、隣接配置される前記山形状の枠付きパネルにおける前記第１補強用線材に平行な一方の辺に連結された状態となるように、前記山形状の枠付きパネルが前記第１補強用線材に直交する方向に配列されており、
前記山形状の枠付きパネルのそれぞれにおいて、前記第２補強用線材の両端部、および、前記第３補強用線材の両端部に、各引張り用線材の上端が連結されており、
各引張り用線材の下端は、所定の引張り状態で地盤に固定されており、
各引張り用線材によって前記第２補強用線材および前記第３補強用線材が引張り状態に維持されることを特徴としている。
【００２０】
本発明の山形状の枠付きパネルを用いた農業用ハウスの屋根構造においては、構成部品が、山形状の枠付きパネル、支柱、および引張り用線材のみでよく、簡単に施工することができる。
【発明の効果】
【００２１】
本発明の平板状の枠付きパネル、山形状の枠付きパネルでは、正多角形の剛性枠体あるいは当該剛性枠体を山形に折り曲げた剛性枠体に、可撓性シートが張り付けられ、正多角形の点対象の位置にある各対の角の間に架け渡される状態となるように可撓性シートに固定した補強用線材によって可撓性シートが補強され、各補強用線材の両端は剛性枠体の角に固定されている。したがって、各補強用線材の両端をワイヤーロープなどで引張ることにより各補強用線材を緊張状態に保持すれば、枠付きパネルが全体として引張り状態となる。枠付きパネルを用いることにより簡単に農業用ハウスの屋根面を構築することができ、弛み、破損、破れなどの起きにくい耐久性の高い屋根面を得ることができる。
【図面の簡単な説明】
【００２２】
【図１】本発明を適用した平板状の枠付きパネルの平面図および断面図である。
【図２】図１の平板状の枠付きパネルを一枚用いて構築した農業用ハウスの屋根構造の一例を示す説明図である。
【図３】図２の屋根構造のドレンパイプを示す説明図である。
【図４】図１の平板状の枠付きパネルを多数枚用いて構築した農業用ハウスの屋根構造の一例を示す説明図である。
【図５】本発明を適用した山形状の枠付きパネルの平面図、断面図および側面図である。
【図６】図５の山形状の枠付きパネルを一枚用いて構築した農業用ハウスの屋根構造の一例を示す説明図である。
【図７】図５の山形状の枠付きパネルを一列に連結して構築した農業用ハウスの屋根構造を示す説明図である。
【図８】図５の山形状の枠付きパネルを縦横に連結して構築した農業用ハウスの屋根構造を示す説明図である。
【発明を実施するための形態】
【００２３】
以下に、図面を参照して本発明を適用した枠付きパネルおよび農業用ハウスの屋根構造の実施の形態を説明する。
【００２４】
（平板状の枠付きパネル）
図１は本発明の農業用ハウスの屋根構造に用いることのできる平板状の枠付きパネルを示す平面図および断面図である。枠付きパネル１は、４つ以上の偶数個の角を備えた正多角形の剛性枠体、本例では正六角形の剛性枠体２と、剛性枠体２に外周縁辺が取り付けられている正多角形の輪郭形状をした可撓性シート３と、可撓性シート３の表面に沿って当該可撓性シート３に固定した３本の直線状の一定幅の補強用テープ４とを備えている。
【００２５】
剛性枠体２は同一長さの直線状の構造材、例えば金属パイプを正六角形となるように連結固定して構成したものである。可撓性シート３は樹脂フィルム、不織布、織布などの素材から形成されたシートである。補強用テープ４は引張り強度の高い合成樹脂製のテープであり、可撓性シート３の引張り強度に比べて大きな引張り強度を備えている。
【００２６】
可撓性シート３の各外周縁辺３ａ〜３ｆは、剛性枠体２の各辺を規定している枠部材２ａ〜２ｆのそれぞれに固定されている。固定方法としては、例えば、可撓性シート３の各外周縁辺３ａ〜３ｆに沿って一定間隔で取付孔を形成し、剛性枠体２の各枠部材２ａ〜２ｆには一定間隔で取付孔に差込可能なフックを形成しておき、これら取付穴をフックに掛けることができる。締結バンドなどを用いて可撓性シート３の各外周縁辺３ａ〜３ｆを一定の間隔で剛性枠体２の枠部材２ａ〜２ｆに固定してもよい。可撓性シート３の外周縁辺３ａ〜３ｆのそれぞれに沿って一定幅の直線状部材を配置し、これらの直線状部材と剛性枠体２の各枠部材２ａ〜２ｆの間に、可撓性シート３の外周縁辺３ａ〜３ｆを挟み込んだ状態で、締結金具を用いて直線状部材を剛性枠体２の各枠部材２ａ〜２ｆに固定するようにしてもよい。
【００２７】
補強用テープ４のそれぞれは、可撓性シート３における点対称の位置にある各対の角、すなわち、図において第１の角３Ａと第４の角３Ｄの間、第２の角３Ｂと第５の角３Ｅの間、第３の角３Ｃと第６の角３Ｆの間に、それぞれ架け渡された状態で可撓性シート３に固定されている。各補強用テープ４の両端部は剛性枠体２の角部３Ａ〜３Ｆに固定されている。また、各補強用テープ４の両端部には、それぞれ、ループ状のワイヤー掛け４ａ、４ｂが形成されている。
【００２８】
補強用テープ４は次の方法のいずれかによって可撓性シート３に固定されている。
（１）可撓性シートへの織り込み
（２）可撓性シートの片面あるいは両面への縫い付け
（３）可撓性シートの片面あるいは両面への接着
【００２９】
ここで、可撓性シートの引張り補強用線材として、可撓性シート３を挟み当該可撓性シート３の両側から相互に嵌合可能な第１、第２嵌合部材からなる補強線材を用いることによって、補強線材を可撓性シートに固定してもよい。
【００３０】
なお、本例の平板状の枠付きパネル１は正六角形であるが、正四角形、正八角形などであってもよい。
【００３１】
（平板状の枠付きパネルを用いて構成した屋根構造）
次に、図２は、平板状の枠付きパネル１を１枚用いた農業用ハウスの屋根構造を示す説明図である。農業用ハウスの屋根構造は、屋根パネルとして平板状の枠付きパネル１を用いている。平板状の枠付きパネル１は複数本、本例では６本の支柱５ａ〜５ｆによって支持されている。支柱５ａ〜５ｆは、それぞれ、正多角形の剛性枠体２における第１〜第６の角３Ａ〜３Ｆに固定されている。支柱５ａ〜５ｆは同一長さのものであり、枠付きパネル１から直角方向に延びている。枠付きパネル１における各補強用テープ４の両端のワイヤー掛け４ａ、４ｂには、それぞれ、引張りワイヤー６の一端が連結されている。図２においては、２本の引張りワイヤーのみを示してある。引張りワイヤー６の他端は、地中に埋設したアンカー７に所定の引張り状態で固定されており、引張りワイヤー６によって補強用テープ４が所定の引張り状態に維持されている。
【００３２】
なお、支柱５ａ〜５ｆにビニールシートなどの壁面材８を取り付けると、これらの壁面材と枠付きパネル１とで取り囲まれた室内空間を備えた農業用ハウスが得られる。また、枠付きパネル１の中心にはドレンパイプ９を配置することができる。さらに、支柱５ａ〜５ｆのそれぞれを中空支柱とし、雨水を排出するためのドレンパイプとして機能させることができる。
【００３３】
図３は、枠付きパネル１の中心に配置したドレンパイプ９を示す説明図である。ドレンパイプ９は、中空のパイプ本体部分９ａと、このパイプ本体部分９ａの上端部に上下方向にスライド可能な状態で取り付けられているシート連結パイプ部分９ｂとを備えている。シート連結パイプ部分９ｂの上端開口部が枠付きパネル１の可撓性シート３の中心部分に取り付けられている。可撓性シート３の中心部分には、当該可撓性シート３の上面から雨水をシート連結パイプ部分９ｂの上端開口部に導くドレン穴３ｇが形成されている。
【００３４】
枠付きパネル１は引張りワイヤー６の引張り力によってほぼ水平に張られている。積雪、雨などが溜まると、中央部分が下側の僅かに撓み、水勾配ができる。したがって、枠付きパネル１の上面に溜まる雨水は中央に流れて、ドレンパイプ９を通って地中に排出される。
【００３５】
ここで、ドレンパイプ９の一部に開閉可能な通気口を形成しておき、必要に応じて通気口を開けるようにしてもよい。このようにすれば、ドレン穴３ｇおよびドレンパイプ９の中空部を介して通気口に至る換気路が形成され、必要に応じて換気を行うことができる。
【００３６】
次に、図４は複数枚の平板状の枠付きパネルを用いた農業用ハウスの屋根構造を示す説明図である。この屋根構造では、屋根面が、縦横に平面状に連結した複数枚の平板状の枠付きパネル１によって構成されており、各枠付きパネル１の６つの角３Ａ〜３Ｆには垂直に同一長さの支柱５（５ａ〜５ｆ）が取り付けられている。基本的には、図２に示す１枚の平板状の枠付きパネル１を用いて構築された屋根構造が縦横に繋がった構造となっている。
【００３７】
すなわち、図４における左右方向（横方向）においては、枠付きパネル１のそれぞれにおける一本の補強用テープ４が隣接する枠付きパネル１における一本の補強用テープ４に直線状に連結された状態となるように、枠付きパネルが一列に連結されている。隣接する枠付きパネル１の連結位置にある支柱５は１本のみとなっている。また、図４における上下方向（縦方向）においては、枠付きパネル１の一つの外周縁辺を重ね合わせた状態で連結されている。さらに、枠付きパネル１のそれぞれにおいて、隣接する枠付きパネル１に連結されている角を除き、補強用テープ４の両端には引張りワイヤー６の一端が連結されており、引張りワイヤー６のそれぞれの他端が地中に埋設したアンカー７に所定の引張り状態で固定されている。引張りワイヤー６のそれぞれは上から見た場合に、連結されている補強用テープ４と同一方向に直線状に引張られており、各補強用テープ４のそれぞれが引張り状態に維持されている。
【００３８】
ここで、隣接する平板状の枠付きパネル１の間にできる三角形の隙間１０および菱形の隙間１１は、対応する輪郭形状の枠付きパネルを用いて封鎖すればよい。また、ビニールシートなどの壁面材を用いて壁面を形成することにより、複数枚の枠付きパネル１からなる屋根面と壁面とによって取り囲まれた室内空間を備えた農業用ハウスが得られる。
【００３９】
（山形状の枠付きパネル）
図５（ａ）〜（ｃ）は本発明を適用した山形状の枠付きパネル１Ａを示す平面図、側面図および端面図である。山形状の枠付きパネル１Ａの構成は、基本的に平板状の枠付きパネル１と同一であるので対応する部位には同一の符号を付し、それらの説明は省略する。異なる点は、可撓性シート３の輪郭形状と同一の正六角形をした平らな剛性枠体２を、点対称の位置にある一対の角を結ぶ対角線が頂辺１２となるように、当該対角線に沿って折り曲げることによって得られる山形状剛性枠体２Ａを用いている点である。山形状剛性枠体２Ａに取り付けた可撓性シート３も同様な山形状となっている。折り曲げ角度θは適切な値に設定すればよい。
【００４０】
（山形状の枠付きパネルを用いて構成した屋根構造）
図６は一枚の山形状の枠付きパネル１Ａを用いて構成した農業用ハウスの屋根構造を示す説明図である。この屋根構造は、山形形状の枠付きパネル１Ａを所定の高さ位置に支持している２本の垂直支柱１３と、４本の引張りワイヤー１４とを有している。垂直支柱１３は、山形状剛性枠体２Ａにおける頂辺１２の両端の角２Ｂ、２Ｅを支持している。頂辺１２に沿って配置されている補強用テープ４以外の２本の補強用テープ４の両端部には、それぞれ、ターンバックル付きの引張りワイヤー１４の上端が連結されている。引張りワイヤー１４は垂直に延びており、その下端が地盤に埋設したアンカー用土台１５に固定されており、所定の引張状態に保持される。引張りワイヤー１４に連結されている２本の補強用テープ４は引張り状態に維持される。この場合においても、ビニールシートなどの壁面材を張り付けて壁面を形成することにより、枠付きパネル１Ａと壁面によって取り囲まれた室内空間を備えた農業用ハウスが得られる。
【００４１】
図７は、複数枚の山形状の枠付きパネル１Ａを一列に連結して屋根面を形成した場合の例を示す説明図である。枠付きパネル１Ａは、それらの頂辺１２が一直線上に並ぶ状態に相互に連結されている。隣接する枠付きパネル１Ａの間には三角形の隙間ができる。この隙間には、対応する三角形のパネル１６を取り付けて封鎖すればよい。また、壁面材１７を取り付けることにより屋根面と壁面によって取り囲まれた室内空間を備えた細長い農業用ハウスが得られる。
【００４２】
図８は複数枚の山形状の枠付きパネル１Ａを縦横に連結して屋根面を形成した場合の例を示す説明図である。この場合においても、隣接する枠付きパネル１Ａの間にできる三角形の隙間を対応する輪郭形状のパネルによって封鎖すればよい。また、壁面を取り付けて、屋根面と壁面で囲まれた室内空間を備えた広面積の農業用ハウスを得ることができる。
【符号の説明】
【００４３】
１    平板状の枠付きパネル
１Ａ  山形状の枠付きパネル
２    剛性枠体
２Ａ  山形状の剛性枠体
２ａ〜２ｆ  枠材
２Ｂ、２Ｅ  角
３    可撓性シート
３ａ〜３ｆ  外周縁辺
３ｇ  ドレン穴
３Ａ〜３Ｆ  角
４    補強用テープ
４ａ、４ｂ  ワイヤー掛け
５、５ａ〜５ｆ  支柱
６    引張りワイヤー
７    アンカー
８    壁面材
９    ドレンパイプ
９ａ  ハイプ本体部分
９ｂ  シート連結パイプ部分
１０、１１  隙間
１２  頂辺
１３  垂直支柱
１４  引張りワイヤー
１５  アンカー用土台
１６  パネル
１７  壁面材
【図１】
0005607955.tif 000002
【図２】
0005607955.tif 000003
【図３】
0005607955.tif 000004
【図４】
0005607955.tif 000005
【図５】
0005607955.tif 000006
【図６】
0005607955.tif 000007
【図７】
0005607955.tif 000008
【図８】
0005607955.tif 000009